【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
第1のガスセット（FGS）および第2のガスセット（SGS）と共に使用される呼吸回路であって、FGSとSGSとを別々に保つための手段と、吸気において患者に対し最初にFGSを逐次的に移送させ、更にFGS貯留部が空になったとき、吸気のバランスのため後に実質的にSGSを移送させる手段とを具備してなることを特徴とする呼吸回路。
【請求項２】
第1のガスセット（FGS）および第2のガスセット（SGS）と共に使用される呼吸回路であって、FGSとSGSとを別々に保つための手段と、吸気において患者に対し最初にFGSを逐次的に移送させ、更に吸気において、FGS貯留部が空になったとき、吸気のバランスのため後にSGSを移送させる手段とを具備してなることを特徴とする呼吸回路。
【請求項３】
a.  FGSの導入のためのポートと、FGS貯留部と、FGS流制御手段とを有する吸気リムと；  b.  呼気リムであって、これが呼気ガス用排出ポートと、SGS貯留部と、呼気の間にSGS貯留部にSGS流を向けるため、更に吸気の一部の間において患者に呼気リム中のSGS流を向けるためのSGS流制御手段とを有してなるものと；  を具備してなる請求項１又は２記載の回路。
【請求項４】
FGS流制御手段が、患者に向けて開口する少なくとも１つの一方向弁を含む請求項3記載の回路。
【請求項５】
FGS流制御手段が、FGS弁制御手段により作動されるFGS制御弁を含み、これにより、吸気貯留部が空になるまで、吸気の間においてFGSが被験者に向けて流れるようにし、ついで、次の吸気が始まるまでFGSが被験者に流れるのを防止するようにした請求項3記載の回路。
【請求項６】
FGS流制御手段が、上記制御弁と患者との間に配置され、患者に向けて開口する少なくとも１つの一方向弁を更に含む請求項5記載の回路。
【請求項７】
SGS流制御手段が、呼気リム上に配置された呼気弁と、呼気リムに接続されたバイパスリム上に配置されたバイパス弁とを具備してなり、該バイパスリムが呼気弁をバイパスし、該バイパス弁が、FGS貯留部が空になったときのみ、吸気の間に開放されるようになっている請求項4、5又は6記載の回路。
【請求項８】
SGS流制御手段が、SGS弁制御手段により作動されるSGS制御弁を含み、吸気貯留部が空になったとき、吸気の間に被験者がSGSを吸気するようにSGS制御弁を開放させ、呼気の後にSGS制御弁を閉塞させるようになっている請求項4、5又は6記載の回路。
【請求項９】
a.  FGSの導入のためのポートと、FGS貯留部と、FGS流制御手段とを有し、FGS貯留部が空になった後、吸気の部分の間に該FGS流をFGS貯留部へ向けさせ、次の吸気の開始前での患者への流れを防止するようにした吸気リムと；  b.  呼気ガス用排出ポートと、SGS貯留部と、呼気の間にSGS貯留部にSGS流を向けさせるための呼気弁とを有する呼気リムと；  c.  上記吸気リムおよび呼気リムに接続されたバイパスリムであって、FGS貯留部が空になったとき吸気の終りまで、吸気の部分の間に吸気リムを介してSGS流をSGS貯留部から患者に向けるバイパス流制御手段を有するものと；  を具備してなることを特徴とする呼吸回路。
【請求項１０】
FGS流制御手段が、患者に向けて開口する少なくとも１つの一方向弁を含む請求項9記載の回路。
【請求項１１】
FGS流制御手段が、FGS弁制御手段により作動されるFGS制御弁を含み、これにより、吸気貯留部が空になるまで、吸気の間においてFGSが被験者に向けて流れるようにし、ついで、次の吸気が始まるまでFGSが被験者に流れるのを防止するようにした請求項9記載の回路。
【請求項１２】
FGS流制御手段が、上記制御弁と患者との間に配置され、患者に向けて開口する少なくとも１つの一方向弁を更に含む請求項11記載の回路。
【請求項１３】
SGS流制御手段が、呼気リム上に配置された呼気弁と、呼気リムに接続されたバイパスリム上に配置されたバイパス弁とを具備してなり、該バイパスリムが呼気弁をバイパスし、該バイパス弁が、FGS貯留部が空になったときのみ、吸気の間に開放されるようになっている請求項10、11又は12記載の回路。
【請求項１４】
SGS流制御手段が、SGS弁制御手段により作動されるSGS制御弁を含み、吸気貯留部が空になったとき、吸気の間に被験者がSGSを吸気するようにSGS制御弁を開放させ、呼気の後にSGS制御弁を閉塞させるようになっている請求項10、11又は12記載の回路。
【請求項１５】
吸気リムおよび呼気リムが同軸になっている請求項1,2又は9記載の回路。
【請求項１６】
これらリムの一方が、他方への湿気の通過を可能にするが、これらリム中のガスを別々に分離した状態に保持させる材料からなっている請求項15記載の回路。
【請求項１７】
上記貯留部が、吸気および呼気リムのための開口部と、換気装置への接続のための開口部とを有する密閉容器内に収容されている請求項1,2又は9記載の回路。
【請求項１８】
SGSが患者へ移送されているのを検出するための手段を更に含み、FGS流制御手段が上記検出手段を使用してFGSをFGS貯留部へ向けさせる時期を判定し、FGSが患者に移送されるのを防止する請求項1,2又は9記載の回路。
【請求項１９】
FGSが1以上のガスを種々の濃度で組合せたものからなる請求項1,2又は9記載の回路。
【請求項２０】
FGSが空気からなる請求項1,2又は9記載の回路。
【請求項２１】
FGSがO2からなる請求項1,2又は9記載の回路。
【請求項２２】
FGSが空気とO2との混合からなる請求項1,2又は9記載の回路。
【請求項２３】
FGSがCO2を含む請求項1,2又は9記載の回路。
【請求項２４】
SGSが1以上のガスを種々の濃度で組合せたものからなる請求項1,2又は9記載の回路。
【請求項２５】
SGSが先に呼気したガスを含む請求項1,2又は9記載の回路。
【請求項２６】
SGSが先に呼気したガスおよび外部ガスのセットの混合物からなる請求項1,2又は9記載の回路。
【請求項２７】
患者へ移送されるSGSの組成を変化させる手段を更に含む請求項1,2又は9記載の回路。
【請求項２８】
SGS変更手段がCO2吸収剤を含む請求項27記載の回路。
【請求項２９】
SGS変更手段が麻酔剤又は麻酔剤蒸気を除去するゼオライトを含む請求項27記載の回路。
【請求項３０】
SGS変更手段が一酸化炭素を除去するホプカライトを含む請求項27記載の回路。
【請求項３１】
弁又は流量制御手段を含む吸気リムおよび呼気リムの部分がSGS貯留部内に収納されている請求項1,2又は9記載の回路。
【請求項３２】
上記貯留部が、バッグ又はSGSの機能を提供するのに十分な大きさの延出チューブである請求項1,2又は9記載の回路。
【請求項３３】
心拍出量(Q)および他のパラメータ、例えば、肺胞換気（VA）、少量換気(ＶＥ)、肺からの少量CO2除去（VCO2）、少量酸素消費（VO2）、CO2の酸素付加混合静脈分圧、(PvCO2-oxy)、CO2(PvCO2)の真の混合静脈分圧、PaCO2、混合静脈酸素飽和（SvCO2）、肺分流、解剖的死腔を測定するための装置であって、  a)  患者の小さい換気が、回路への第1のガスセット(FGS)流を超えたとき、被験者の換気のバランスが第2のガスセット(SGS)から供給させるようにした呼吸用回路；  b)  患者の呼吸のガス濃度をモニターするためのガス分析手段；  c)  呼吸回路へのFGS流の速度を制御するためのガス流制御手段；  d） FGSを最初に患者に提供し、ついでSGSを提供する手段；  を具備してなることを特徴とする装置。
【請求項３４】
第1のガスセット(FGS)および第2のガスセット(SGS)を更に含み、該第2のガスセットが先に呼気下ガス又は外部ガス又はその双方を含む請求項33記載の装置。
【請求項３５】
呼吸の時期を識別するための手段を更に具備してなる請求項33記載の装置。
【請求項３６】
ガス流制御手段を制御することができ、ガスセンサー手段および呼吸の時期を識別するための手段の出力を受理することができ、心拍出量および他のパラメータを測定するための計算を行うことができる人工知能を更に具備してなる請求項33記載の装置。
【請求項３７】
呼吸回路が請求項1,2又は9の回路の１つである請求項33記載の装置。
【請求項３８】
呼吸回路が米国特許No.6,622,725にFisherにより記載されたものである請求項33記載の装置。
【請求項３９】
該ガス流制御手段が、FGSを構成する幾つかの入力ガスを制御、混合することができるものである請求項33,34又は36記載の装置。
【請求項４０】
FGSがO2からなる請求項33,34又は36記載の回路。
【請求項４１】
FGSが空気からなる請求項33,34又は36記載の回路。
【請求項４２】
FGSが空気とO2との任意の比率からなる請求項33,34又は36記載の回路。
【請求項４３】
FGSが、任意の割合のCO2、麻酔ガス又は他のガス又は蒸気を更に含む請求項40,41又は42記載の装置。
【請求項４４】
Q、VA、ＶＥ、VCO2、VO2、PvCO2-oxy、真PvCO2、PaCO2、SvO2、肺分流および解剖学的死腔を判定するため、請求項33,34又は36記載の装置を使用する方法。
【請求項４５】
請求項33の装置を使用して肺胞換気(VA)を特定するための方法であって：    a.  被験者の小さな換気(VE)よりも大きい割合で回路へのFGS流を設定し；    b.  定常状態で1又はそれ以上の末端呼吸（tidal）CO2濃度（PETCO2）を測定し；    c.  被験者のPETCO2を測定しつつ、回路へのFGS流を呼吸毎に又は連続的に漸進的に低下させ；    d.  閾値を超えたPETCO2の上昇を識別する；    e.  閾値を超えたPETCO2の上昇の始まりにおいて、VAを回路へのFGS流の流量として判定する；  ことを特徴とするもの。 
【請求項４６】
PETCO2の上昇の始まりを以下の過程により判定する請求項45記載の方法：    a.  閾値を超えたPETCO2の上昇を認識した後、再循環時間の前に1又はそれ以上の連続的PETCO2値を収集する；    b.  PETCO2対FGS流のグラフの上に直線をPETCO2の値に当て嵌める；    c.  上記直線のPETCO2が、定常状態でのPETCO2値の1つ、又は幾つかの平均と等しいFGS流(VAと等しい)を判定する。 
【請求項４７】
請求項33の装置を使用して肺胞換気(VA)を特定するための方法であって：  a.   体重、温度、性別に基づいて被験者の予備的最小VAを推定すること；  b.  定常状態PETCO2が達成されるまで、患者の安静VEよりも大きいFGS流を提供すること；  c.  推定されたVAより下のFGS流を、再循環時間と短い又は等しい時間、VAxに設定し、もしも平衡末端換気値が再循環時間内に到達したときは平衡時の末端呼吸CO2濃度、PETCO2xを測定し、さもなければ、これを再循環時間内での末端呼吸CO2値の指数関数的上昇から外挿された末端呼吸CO2の平衡値、PETCO2xを測定すること；  d． 定常状態PETCO2が到達されるまで、FGS流をVEより上に設定すること；  e.  推定されたVAより下のFGS流を、再循環時間と短い又は等しい時間、VAy（VAyはVAxと等しくない）に設定し、もしも平衡末端換気値が再循環時間内に到達したときは平衡時の末端呼吸CO2濃度、PETCO2ｙを測定し、さもなければ、PETCO2ｙを再循環時間内での末端呼吸CO2値の指数関数的上昇から外挿された末端呼吸CO2の平衡値として測定すること；  f． PETCO2対FGS流のグラフに、点(PETCO2ｙ、VAy)および（PETCO2x、VAx）をプロットし、これら2つの点を接続することにより形成された線を外挿して、PETCO2-安静時PETCO2で水平線を交差させること；  g．交差点に相当するFGS流であるVAを判定すること；  からなることを特徴とするもの。
【請求項４８】
判定されたVAを、定常状態において、VCO2をVAx FETCO2として計算するのに利用する請求項45、46又は47記載の方法。
【請求項４９】
CO2の代わりにO2を使用し、閾値より下のPETO2レベル降下を、閾値より上に上昇するPETCO2の代わりに使用する請求項45又は46記載の方法。
【請求項５０】
PETCO2値の代わりにPETO2値を測定する請求項47記載の方法。
【請求項５１】
任意の呼吸回路で被験者の呼吸のVCO2を測定するための方法であって、患者の小さい換気が、回路への第1のガスセット(FGS)流を超えたとき、被験者の換気のバランスを第2のガスセット(SGS)から供給させることからなり、この方法が：  a．回路へのFGS流を、被験者のVAと等しい又は上の流量に設定し；  b．回路から排出するガスの平均CO2濃度を測定し；  c．平均CO2濃度x FGS流速であるVCO2を判定する；  ことからなることを特徴とするもの。
【請求項５２】
請求項51の方法を使用してVCO2を測定することからなる被験者のVAを判定する方法であって、被験者のＦETCO2を測定し、VAをVCO2/ ＦETCO2として判定する方法。
【請求項５３】
任意の呼吸回路で被験者の呼吸のVCO2を測定するための方法であって、患者の小さい換気が、回路への第1のガスセット(FGS)流を超えたとき、被験者の換気のバランスを第2のガスセット(SGS)から供給させることからなり、この方法が：  a．回路へのFGS流を、被験者のVAと等しい又は上の流量に設定し；  b．回路から排出するガスの平均O2濃度を測定し；  c．FGS流量 x [FGSの平均O2濃度-回路から排出するガスの平均O2濃度]であるVO2を判定する；  ことからなることを特徴とするもの。
【請求項５４】
該回路がSGDB回路である請求項51記載の方法。
【請求項５５】
該回路がSGDB回路である請求項53記載の方法。
【請求項５６】
請求項33,34又は36に記載いずれかの装置を使用して被験者の心拍出量を測定する方法であって：  i.   第1の状態でVCO2およびPETCO2を測定すること；  ii.  再循環時間より短い又はそれと等しい時間においてVCO2を、VCO2'として指定される新規なVCO2に変化させること；  iii. PETCO2'として指定されるVCO2'での新規なPETCO2を判定すること（ここで、PETCO2'はVCO2のVCO2'への変化の後の定常状態末端呼吸PCO2、又は、もしも定常状態に到達しないときは、PETCO2'は再循環時間内での末端呼吸PCO2の指数関数的上昇からの外挿定常状態末端呼吸PCO2である）；  iv.  デファレンシャルFick式を使用してQを判定すること；  を具備してなることを特徴とするもの。
【請求項５７】
上記第1の状態におけるVCO2が請求項48の方法を使用して測定される請求項56の方法。
【請求項５８】
上記第1の状態におけるVCO2が請求項51の方法を使用して測定される請求項56の方法。
【請求項５９】
上記第1の状態におけるVCO2が請求項54の方法を使用して測定される請求項56の方法。
【請求項６０】
上記第1の状態におけるFGS流が被験者のVAと等しい請求項56の方法。
【請求項６１】
上記第2の状態におけるFGS流が被験者のVAよりも小さい請求項56の方法。
【請求項６２】
上記VAが請求項45の方法により判定される請求項60又は61の方法。
【請求項６３】
上記VAが請求項46の方法により判定される請求項60又は61の方法。
【請求項６４】
上記VAが請求項47の方法により判定される請求項60又は61の方法。
【請求項６５】
FGS中のCO2濃度を変化させることによりVCO2をVCO2'に変化させる請求項56の方法。
【請求項６６】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項56の方法。
【請求項６７】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項57の方法。
【請求項６８】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項58の方法。
【請求項６９】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項59の方法。
【請求項７０】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項60の方法。
【請求項７１】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項61の方法。
【請求項７２】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項62の方法。
【請求項７３】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項63の方法。
【請求項７４】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項64の方法。
【請求項７５】
VCO2'が、ＦETCO2'xFGS流として判定される（ここで、ＦETCO2'は、平衡時での、又は末端呼吸CO2値の指数関数的上昇からの平衡に外挿されたときの被験者の末端呼吸CO2である）請求項65の方法。
【請求項７６】
請求項33、34又は36のいずれかに記載の装置を使用して被験者の心拍出量を計算する方法：  i.   体重、温度、性別に基づいて被験者のVA(VA.prelimとして表す)を推定する；  ii.  被験者の小さい換気（VE）よりも大きい割合で回路へのFGS流を設定する；  iii.  再循環時間より短い、又は等しい時間において、FGS流をVA.prelimより小さい値VA1に変化させる；  iv.  VCO21＝VA1ｘＦETCO21を計算すること（ここで、ＦETCO21は、もしも平衡末端換気値が再循環時間内に到達したときは、平衡時の分別末端呼吸CO2濃度であり、さもなければ、これは再循環時間内での末端呼吸CO2値の指数関数的上昇から外挿された末端呼吸CO2の平衡値である）;  v.   VEよりも大きい割合で回路へのFGS流を設定し、定常状態PETCO2が到達されるまで待機する；  vi.   再循環時間より短い、又は等しい時間において、FGS流をVA.prelimより下でVA1と等しくない値VA2に変化させることにより肺胞換気VA2を変化させる；  vii.  VCO22＝VA2ｘＦETCO22を計算すること（ここで、ＦETCO22は、もしも平衡末端換気値が再循環時間内に到達したときは、平衡時の分別末端呼吸CO2濃度であり、さもなければ、これは再循環時間内での末端呼吸CO2値の指数関数的上昇から外挿された末端呼吸CO2の平衡値である）;  viii. FETCO21x周囲気圧からPETCO21を判定し、FETCO22x周囲気圧からPETCO22を判定する；  ix.  デファレンシャルFick式中のVCO22、VCO2１、PETCO22、PETCO21の値を使用して、心拍出量を判定する。
【請求項７７】
上記Fick式のPETCO2値を、Kim Rahn Farhi法を使用してPaCO2で置換し、PETCO2-PaCO2勾配を特定する請求項56又は76記載の方法。
【請求項７８】
請求項33、34又は36に記載の任意の装置を使用して被験者中のPVCO2-oxyを判定する方法であって、  i.   請求項45、46又は47に記載の任意の方法を使用してVAを判定すること；  ii. VAに等しい回路中のFGS流を設定し、CO2およびPETCO2の吸気濃度を測定すること；  iii. 再循環時間よりも長くない一連の呼吸において、FGS中のCO2濃度を変化させ、CO2およびPETCO2の吸気濃度を測定すること；  iv.   Fisherにより記述されているように吸気および呼気濃度の値を使用してPVCO2-oxyを計算すること；  からなることを特徴とする方法。
【請求項７９】
判定されたVAを利用して、定常状態におけるVO2をVAx（FIO2-FETO2）(ここで、FIO2はFGS中のO2濃度)として計算する請求項45記載の方法。
【請求項８０】
判定されたVAを利用して、定常状態におけるVO2をVAx（FIO2-FETO2）(ここで、FIO2はFGS中のO2濃度)として計算する請求項46記載の方法。
【請求項８１】
判定されたVAを利用して、定常状態におけるVO2をVAx（FIO2-FETO2）(ここで、FIO2はFGS中のO2濃度)として計算する請求項47記載の方法。
【請求項８２】
呼吸回路を使用して小さい換気(VE)を特定するための方法であって、被験者の小さい換気が、回路への第1のガスセット(FGS)流を超えたとき、被験者の換気のバランスを第2のガスセット(SGS)から供給させることからなり、この方法が：    i.  被験者の小さな換気(VE)よりも大きい割合で回路へのFGS流を設定し；    ii. 呼吸回路中のFGS貯留バッグが最初に潰れるまで（このバッグが最初に潰れたときのFGS流はVE）、呼吸毎に又は連続的に回路へのFGS流を漸進的に低下させる；  ことからなることを特徴とする方法。
【請求項８３】
解剖学的死腔を計算する方法であって；  a.  請求項45の方法によりVAを測定すること；  b.  VEを測定すること；  c.  呼吸の割合を測定すること；  d.   解剖学的死腔=(VE-VA)/呼吸の割合を判定すること；  ことからなることを特徴とする方法。
【請求項８４】
解剖学的死腔を計算する方法であって；  a.  請求項46の方法によりVAを測定すること；  b.  VEを測定すること；  c.  呼吸の割合を測定すること；  d.   解剖学的死腔=(VE-VA)/呼吸の割合を判定すること；  ことからなる方法。
【請求項８５】
解剖学的死腔を計算する方法であって；  a.  請求項47の方法によりVAを測定すること；  b.  VEを測定すること；  c.  呼吸の割合を測定すること；  d.   解剖学的死腔=(VE-VA)/呼吸の割合を判定すること；  ことからなることを特徴とする方法。 
【請求項８６】
請求項33、34又は36に記載の任意の装置を使用して被験者の生理学的パラメータを判定する方法であって、Kim Rahn Farhiのアプローチにより以下のパラメータを判定するようにした方法：    i)   PvCO2-oxy    ii)  真のPvCO2    iii) PaCO2    iv)  Q     v)   混合静脈ヘモグロビンO2飽和を判定するため、真のPvCO2＋パルスオキシメータからの情報。
【請求項８７】
請求項33、34又は36に記載の任意の装置を使用して被験者の生理学的パラメータを判定する方法であって、GedeonおよびOrrのデファレンシャルCO2Fick手法により以下のパラメータの任意の組合わせを判定するようにした方法：    i)   PvCO2-oxy    ii)  Q    iii) VCO2    iv)  VCO2'    v)    デファレンシャルFick法を行うためVCO2を減少させながら収集されたデータから、Kim Rahn Farhi法から判定されるPaCO2を使用して判定されるPETCO2-PaCO2勾配。
【請求項８８】
任意の呼吸回路で、被験者の呼吸におけるQ、VA、VCO2、PvCO2-oxy、真PvCO2、PaCO2、肺分流、解剖学的死腔および混合静脈血中のO2飽和を計算するための改良された方法であって、被験者の小さい換気が、回路への第1のガスセット(FGS)流を超えたとき、被験者の換気のバランスを第2のガスセット(SGS)から供給させることからなり、この方法が：    i)   FGS流を回路に設定し、Fick式を利用する上記判定のための2セットのデータを生じさせること；(又は)    ii)   PETCO2-PaCO2勾配を、同一被験者で得られた2つの独立した値から計算すること；(又は)    iii) Kim Rahn Farh法を利用して、一連の減少FGS流を完全又は部分的呼吸保持に真似ること（ここで、各呼吸のPETCO2は逐次肺胞サンプルに相当する）；  からなることを特徴とするもの。
【請求項８９】
SvO2= SaO2-VO2/[HbxCCxQ]の関係式（ここで、Hbはヘモグロビン、ＣＣ(mＬO2/ｇｍＨｂ)は酸素を運ぶヘモグロビンの能力）を使用して、SvO2を判定するのに使用されるQを測定するための請求項33、34又は36記載の方法。
【請求項９０】
動脈O2ヘモグロビン飽和を、肺動脈中のO2飽和値と共に利用し、分流血液の部分（肺末梢毛管中に十分に酸素付加された血液があるものと仮定して）を計算するようにした請求項89記載の方法又は装置。
【請求項９１】
心拍出量QTの判定との関連で下記関係式：        QT= QP＋QSを介して肺活量QPを判定するのに使用される分流血液の区分QSを判定するのに使用される請求項90記載の方法又は装置。
【請求項９２】
混合静脈血中のヘモグロビンの酸素飽和の判定を利用して患者の心不全、敗血症ショックなどの病気を明らかにするのに利用される請求項33,34又は36記載の方法。
【請求項９３】
変数を制御、活用、測定し、それを判定するため、少なくとも1つのコンピュータとの関連で、ゲージ、制御装置、コンピュータ補助装置を使用して自動化した請求項44、45、47、51、53、56、82、83、84、85、88のいずれかに記載の方法。
【請求項９４】
少なくとも1つのコンピュータを使用して自動化した請求項44、45、47、51、53、56、82、83、84、85、88のいずれかに記載の方法。